(57)【要約】  本発明は、複数のエンティティを含む無線通信ネットワークのエンティティの少なくとも１つのコンポーネントを動作停止する方法に関し、前記通信ネットワークは、物理層を含む複数の通信層に分かれている。本発明によれば、そのような方法は、物理層において、受信する間に物理的な信号から抽出されたデータフレームのヘッダを受信するステップと、前記フレームの少なくとも１つの宛名エンティティを示す情報の少なくとも一部を出力する前記ヘッダを復号するステップと、前記宛名エンティティを示す情報が、前記受信エンティティ以外のエンティティを示すとき、前記ヘッダの前記受信エンティティの少なくとも１つのコンポーネントを動作停止するステップと、を含んでいる。【選択図】  なし【特許請求の範囲】
【請求項１】
複数のエンティティを含む無線通信ネットワークのエンティティ（Ｅ１）の少なくとも１つのコンポーネントを動作停止させる方法であって、前記通信ネットワークは、物理層（ＰＨＹ）を含む複数の通信層に分かれており、
前記方法が、前記物理層（ＰＨＹ）において、
受信される物理的信号から抽出されたデータフレーム（ＰＰＤＵ）のヘッダ（ＨＥＡ）を受信するステップと、
前記フレームに対する少なくとも１つの宛名エンティティを表す情報（ＩＥＤ）の少なくとも一部を供給する前記ヘッダ（ＨＥＡ）を復号するステップと、
前記宛名エンティティを表す情報の一部が、前記受信エンティティ（Ｅ１）以外のエンティティを示すとき、前記ヘッダ（ＨＥＡ）の前記受信エンティティ（Ｅ１）の少なくとも１つのコンポーネントを動作停止するステップと、
を含む、ことを特徴とする方法。
【請求項２】
前記方法が、伝送速度（ＲＡＴＥ）を表す情報の少なくとも一部及び物理層の前記データフレーム（ＰＰＤＵ）のデータ容量（ＬＥＮＧＴＨ）を表す情報の少なくとも一部の関数として、動作停止の継続時間を計算するステップをさらに含む、ことを特徴とする請求項１に記載の方法。
【請求項３】
前記動作停止するステップが、前記エンティティの少なくとも１つの無線周波数のコンポーネントに対する電力供給を切断するステップを含む、ことを特徴とする請求項１に記載の方法。
【請求項４】
前記動作停止するステップは、物理層のデータ受信及び／又は送信チェーンに対する、電源を切断するステップを含む、ことを特徴とする請求項１に記載の方法。
【請求項５】
複数のエンティティ有する無線通信ネットワークの送信者エンティティにより、ヘッダ（ＨＥＡ）を含むデータフレーム（ＰＰＤＵ）を送信する方法であって、前記通信ネットワークは、前記データフレームを構築するステップを有する物理層（ＰＨＹ）を含む複数の通信層に分かれており、
前記方法が、前記物理層（ＰＨＹ）において、
−理的サポートに対するアクセスを制御する層の少なくとも１つのパラメータ（ＡＩＤ）から、前記フレームに対する少なくとも１つの宛名エンティティを表す情報（ＩＥＤ）の一部を構築するステップと、
修正されたフレームを供給する、前記データフレーム（ＰＰＤＵ）の前記ヘッダ（ＨＥＡ）内に、前記表示情報の一部（ＩＥＤ）を挿入するステップと、
前記修正されたデータフレームを前記通信ネットワーク上に、ディジタル信号の形式で送信するステップと、
を含む、ことを特徴とする方法。
【請求項６】
前記フレームの少なくとも１つの宛名エンティティを表す前記情報（ＩＥＤ）の一部が、前記ヘッダの信号フィールドに挿入される、ことを特徴とする請求項５に記載の方法。
【請求項７】
前記挿入するステップが、前記データフレーム（ＰＰＤＵ）の前記ヘッダ（ＨＥＡ）のフィールドの１つを有する前記表示情報（ＩＥＤ）の一部の直交符号化によって行われる、ことを特徴とする請求項５に記載の方法。
【請求項８】
複数のエンティティを含む無線通信ネットワークに接続可能なエンティティ（Ｅ１）であって、前記通信ネットワークは、物理層（ＰＨＹ）を含む複数の通信層として編成され、
前記エンティティが、前記物理層（ＰＨＹ）とのインターフェースにおいて、
データフレーム（ＰＰＤＵ）のヘッダ（ＨＥＡ）を受信する手段と、
前記フレームの少なくとも１つの宛名エンティティを表示する情報（ＩＥＤ）の少なくとも一部を与える前記ヘッダ（ＨＥＡ）を復号する手段と、
前記宛名エンティティを表す情報の前記部分が前記受信エンティティ（Ｅ１）以外のエンティティを示す場合、前記ヘッダ（ＨＥＡ）の前記受信エンティティ（Ｅ１）を動作停止する手段と、
を具備する、ことを特徴とするエンティティ。
【請求項９】
複数のエンティティを含む無線通信ネットワークに接続可能なエンティティであって、前記通信ネットワークは、物理層（ＰＨＹ）を含む複数の通信層として編成され、前記データフレームを構築するステップを含み、
前記エンティティが、前記物理層（ＰＨＹ）とのインターフェースにおいて、
前記フレームの少なくとも１つの宛名エンティティを表示する情報（ＩＥＤ）の一部を構築する手段と、
修正されたフレームを提供するように、前記表示情報（ＩＥＤ）の一部を前記データフレーム（ＰＰＤＵ）の前記ヘッダ（ＨＥＡ）の中に挿入する手段と、
前記修正されたデータフレームを前記通信ネットワーク上にディジタル信号の形式で送信する手段と、
を具備する、ことを特徴とするエンティティ。
【請求項１０】
無線通信ネットワークの物理層（ＰＨＹ）上で送信される、ヘッダ（ＨＥＡ）を有するデータフレーム（ＰＰＤＵ）を表す信号であって、
前記信号が、前記ヘッダ（ＨＥＡ）に中で、前記物理層の信号を処理するコンポーネントにアドレス指定された、前記フレームの少なくとも１つの宛名エンティティを表す情報（ＩＥＤ）の一部を含む、ことを特徴とする信号。
【請求項１１】
コンピュータプログラムがプロセッサによって実行されるとき、請求項１〜４のいずれか１項に記載の、動作停止する方法を実行するプログラムコード命令を含むことを特徴とするコンピュータプログラム。
【請求項１２】
コンピュータプログラムがプロセッサによって実行されるとき、請求項５〜７のいずれか１項に記載の、送信する方法を実行するプログラムコード命令を含むことを特徴とするコンピュータプログラム。
【発明の詳細な説明】
【技術分野】
【０００１】
本発明は電子通信の分野に関し、より具体的には、無線通信の分野に関する。
【背景技術】
【０００２】
電池式の移動通信用受信エンティティを使用することが多いこの種の通信では、エネルギー消費の問題はこれらのエンティティに対する主要な問題である。実際に、無線ディジタル信号を送信及び受信する動作は、高エネルギーを消費する動作である。このため、通信端末でこのエネルギーを節約する機構を提供する必要がある。
【０００３】
通信ネットワーク機器及び装置（送信機及び受信機）は、一般に、ＩＳＯ（国際標準化機構）により提案されたＯＳＩ（オープンシステム相互接続）モデルを実行する。ＩＳＯは、コンピュータネットワークの２つのエンティティ間の通信に関して必要な機能及び、層状構造に基づいて割り当てられたこれらの機能の組織を記載している。最下位層は、信号の効果的な送信及び受信を受け持つ「物理的」レベルの層（「物理層」と呼ばれる）である。これらの様々な機能は、一般に、通信エンティティの特定のコンポーネントによって実行される。
【０００４】
物理層は、ＭＡＣ（「媒体アクセス制御」）サブレイヤーを介する物理的なサポートによって直接相互接続される、２つの隣接するマシン間の相互接続動作を管理する、直ぐ上の層（データリンク層）とインターフェースをとる。
【０００５】
ＯＳＩモデルでは、各層は通信ネットワークのエンティティ間の通信に関して明確な役割を有し、各役割は、一般に、この目的に適合した１つ又は複数のコンポーネントによって実行される。特に、現在のシステムの物理層／ＭＡＣ層の構造は完全に分割されている。
【０００６】
物理層は、固定ビットレートでデータ伝送を確実に行うことを目的とする技術を規定する。それは、伝送されたデータのような知識は有していない。
【０００７】
ＭＡＣ層は、様々なユーザからのデータ送信を組織化すること、チャネル、衝突、肯定応答及び再送信へのアクセスを管理すること、並びに通信エンティティ（特に、端末）を識別することを目的とする技術を規定する。
【０００８】
従って、ＭＡＣ層の役割は、宛先ＭＡＣアドレスを検証する場合、そのために意図されたもののみを維持するために、特に、受信されたフレームをフィルタ処理することである。
【０００９】
「パワーセーブ」モードとして周知の省エネルギーモードは、特に、ＩＥＥＥ（Institute of Electrical and Electronics Engineers）の８０２．１１規格によって規定されている。その規格は、無線通信装置間の、特にＷＩ−ＦＩ（無線フィデリティ）タイプの無線通信エンティティ間の相互運用性を保証する。
【００１０】
種々の省エネルギーモードが存在する。例えば、「レガシーパワーセーブ」モードと呼ばれる１つのモードは、低変調かつ優先順位なしで送信されたシグナリングメッセージ（ＰＳ−ポール（PS-Poll））を交換することに基づいている。このため、この種の省エネルギーモードは、リアルタイムトラフィックに対して不適当である。
【００１１】
８０２．１１ｅ規格に導入され、ＶＯＩＰ（「ボイスオーバーインターネットプロトコル」（Voice Over Internet Protocol））タイプのトラフィックにより良く適合されたＡＰＳＤ（「自動パワーセーブ配信」（Automatic Power Save Delivery））として周知のモードも存在する。この場合、データフレームは、トラフィックのタイプに関連した優先順位で、補足管理フレームの存在なしで送信されます。
【００１２】
最後に、８０２．１１ｎ規格で導入された「ＰＳＭＰ」（パワーセーブマルチポール（Power Save Multi Poll））モードとして周知のモードは、アクセスポイントが、アクティビティの期間のスケジューリングおよびＢＳＳ（同期通信エンティティのセットを指定する「基本サービスセット」（"Basic Service Set"））に関連付けられた各通信エンティティ（端末）のスタンバイを実施することを規定している。
【００１３】
アクセスポイントは、トラフィックがエンティティのために意図されているときに、エンティティに通知する。エンティティが「アクティブ」モードのとき、それは３つの状態、すなわち、「スタンバイ」、「受信」又は「送信」のうちの１つであることができる。
【００１４】
これらの異なるメカニズムの背後にある考え方は、スタンバイフェーズ（エネルギーが保存されている場合）とアクティビティフェーズとの間を交番するモバイル受信エンティティに対して省エネルギーモードを作成することである。引用される様々なプロトコル及び技術は、どのようなパケットも失うことなく、これらの様々なフェーズを管理するするために、エンティティとアクセスポイントとの間のやり取りを定義する。それらは、アクティビティフェーズの中でスタンバイフェーズとパケットの送信又は受信との間にパケット用のバッファ記憶装置を提供する。
【００１５】
全てのこれらの従来技術のメカニズムでは、エンティティをスタンバイ上に配置することは、省エネルギーメカニズムを制御するＭＡＣ層で、又はより高い層のレベルで命令される。実際に、アクセスポイントとエンティティとの間の情報交換は、ＭＡＣ層以降からのみ理解され分析される。このため、スタンバイ上にエンティティを置くこと及びその起動(activation)を制御することができるのはこの層からである。
【発明の概要】
【００１６】
本発明は、従来技術のこれらの欠点を有していない。実際に、本発明は、複数のエンティティを含む無線通信ネットワークのエンティティ（Ｅ１）の少なくとも１つのコンポーネントを動作停止(deactivate)させる方法に関し、前記通信ネットワークは、物理層（ＰＨＹ）を含む複数の通信層に分かれている。
【００１７】
本発明によれば、そのような方法は、物理層（ＰＨＹ）において、以下のステップが含まれる、すなわち、
−受信される物理的な信号から抽出されたデータフレーム（ＰＰＤＵ）のヘッダ（ＨＥＡ）を受信するステップと、
−前記フレームに対する少なくとも１つの宛名エンティティを表す情報（ＩＥＤ）の少なくとも一部を与える前記ヘッダ（ＨＥＡ）を復号するステップと、
−前記宛名エンティティを表す情報の一部が、前記受信エンティティ（Ｅ１）以外のエンティティを示すとき、前記ヘッダ（ＨＥＡ）の前記受信エンティティ（Ｅ１）の少なくとも１つのコンポーネントを動作停止するステップと、が含まれる。
【００１８】
従って、無線通信ネットワークの中で実行すること、例えば、ＩＥＥＥ８０２．１１規格の１つに準拠することに関連して、本発明は、フレームがエンティティを対象にしていないことが分かる前に、全ＰＰＤＵデータフレームを継続して受信及び復号することができないようにする。このため、エンティティはＰＨＹ層によって直接動作停止にされることができる。このことは、エンティティを動作停止にする決定がＭＡＣ層のレベル（制御フレームの交換の後）で行われるような従来技術では可能でない。
【００１９】
前記フレームに対する宛名エンティティを表す情報（ＩＥＤ）が、通信ネットワークの幾つかのエンティティがフレームに対する宛名であることを示す場合、本発明の方法を実行するエンティティは、このため、動作停止されない。その表示情報の一部が、例えば、値ＦＦであり、マルチキャスト転送又はブロードキャスト転送を指定する場合、例えば、ＩＥＤがバイトで符号化されると仮定すると、そのようなケースが生じる可能性がある。
【００２０】
本発明の１つの特定の特徴によれば、この方法は、伝送速度（ＲＡＴＥ）を表す情報の少なくとも一部及び物理層の前記データフレーム（ＰＰＤＵ）のデータ容量（ＬＥＮＧＴＨ）を表す情報の少なくとも一部についての関数として、動作停止の継続時間を計算するステップをさらに含む。
【００２１】
これにより、エンティティは、それが動作停止になることができるため最適な方法でエネルギーを節約することができる時間に対して、詳細な計算を行うことができる。この時間が経過すると、エンティティは、受信の正常な状態に戻るように起動され、再び次のフレームのヘッダを受信して、ＩＥＤの分析を再開することができる。
【００２２】
本発明の１つの特定の特徴によれば、前記動作停止するステップは、前記エンティティの少なくとも１つの無線周波数のコンポーネントに対する電力供給を切断するステップを含む。
【００２３】
従って、物理層を動作停止する決定は、ＭＡＣ層の命令により動作停止することを開示している従来技術とは異なり、より高い層とは無関係に、物理層自体で行われる。
【００２４】
本発明の１つの特定の特徴によれば、前記動作停止するステップは、物理層のデータ受信チェーン及び／又はデータ送信チェーンに対する電源を切断するステップを含む。
【００２５】
別の態様によれば、本発明はまた、複数のエンティティ有する無線通信ネットワークの送信者エンティティにより、ヘッダ（ＨＥＡ）を含むデータフレーム（ＰＰＤＵ）を送信する方法に関し、前記通信ネットワークは、前記データフレームを構築するステップを有する物理層（ＰＨＹ）を含む複数の通信層に分かれている。
【００２６】
本発明によれば、そのようなステップは、前記物理層（ＰＨＹ）において、
−前記フレームに対する少なくとも１つの宛名エンティティを表す情報（ＩＥＤ）の一部を構築するステップと、
−修正されたフレームを与える、前記データフレーム（ＰＰＤＵ）の前記ヘッダ（ＨＥＡ）内に、前記表示情報の一部（ＩＥＤ）を挿入するステップと、
−前記修正されたデータフレームを前記通信ネットワーク上に、ディジタル信号の形式で送信するステップと、
を含む。
【００２７】
従って、本発明は、例えば、直交符号化によって又は新規分野の中で、この表示情報の一部が意図されている端末が使用する表示情報（ＩＥＤ）の一部を挿入するために、ＰＰＤＵデータフレームの現行のヘッダを使用可能にする。本発明を実行することは、現行の材料を使用することと互換性がある。実際に、それらはこの情報の一部に気付かないので、修正してない端末（規格に適合している）に影響を与えることはない。
【００２８】
本発明の別の実施形態では、ＩＥＤは現行のヘッダのフィールドに挿入されることもできる。
【００２９】
本発明の１つの特定の実施形態では、前記表示情報の一部が、物理層のＰＬＣＰサブレイヤーにおいて挿入される。このサブレイヤーは、データフレーム（ＰＰＤＵ）の特定フィールドのセットに対応する。
【００３０】
本発明の１つの特定の特徴によれば、前記フレームに対する少なくとも１つの宛名エンティティを表す情報の前記一部（ＩＥＤ）が、前記ヘッダの信号フィールドに挿入される。
【００３１】
従って、本発明を実行することは、既存の装置を使用することと互換性がある。実際に、それらはこの情報に気付かないので、修正してない端末（規格に適合している）に影響を与えることはない。
【００３２】
例えば、前記表示情報の一部は、ショートトレーニングフィールド（Short Training Field）（Ｌ−ＳＴＦ、ＨＴ−ＳＴＦ又はＶＨＴ−ＳＴＦ）の中に挿入されることができる。
【００３３】
前記表示情報の一部が挿入されるフィールドの選択は、ネットワークを構成し、かつフレームの潜在的な受取人であるエンティティに依存する。
【００３４】
例えば、フィールドＬ−ＳＩＧといったフレームのスタートに近いフィールドを使用することにより、受信エンティティによって実行される復号するステップが、表示情報の一部の復号により迅速に通じることができるため、より大きなエネルギーを節約できる利点が提供される。
【００３５】
しかしながら、場合によっては、全ての受信エンティティが本発明を実施する場合のみ、Ｌ−ＳＩＧフィールドを使用することが適切である。
【００３６】
ＨＴ−ＳＴＦフィールドを選択することは、本発明を実行しないがＩＥＥＥ８０２．１１ｎ規格に準拠するエンティティを含むネットワークとの、本発明によるエミッション方法との適合を可能にする。
【００３７】
本発明の１つの特定の特徴によれば、前記挿入するステップは、前記データフレーム（ＰＰＤＵ）の前記ヘッダ（ＨＥＡ）のフィールドの１つを有する表示情報（ＩＥＤ）の一部の直交符号化によって行われる。
【００３８】
従って、この実施形態では、修正されたフレームをもたらす現在のフレーム内にＩＥＤを挿入するステップは、同じあらかじめ定義されたフィールド内で、規格及びＩＥＤに準拠したデータの一部を送信できるようにする直交符号化を通して実行される。
【００３９】
例えば、ＩＥＤをＬ−ＳＩＧフィールドに挿入するためには、現在のフレームのＬ−ＳＩＧフィールド及びＩＥＤは、直交変調の手段によって混合される。
【００４０】
直交符号化による本発明のこの実施形態は、例えば、現行のＬ−ＳＩＧフィールド又はＨＴ−ＳＩＧフィールド、あるいはまた、ＶＨＴ−ＳＩＧフィールドといった規格の将来の発展の中で標準化されるフィールドなどの、フレームの指定されていないフィールドを用いる変調によってＩＥＤの挿入を可能にするという利点を提供する。
【００４１】
従って、特に、現在のフレームを含む符号化されたフレームでは、本発明を実行しない符号化されたフレームの受信エンティティは、前記ヘッダの信号フィールド内で表示情報の一部を挿入することによって妨害されることはない。本発明に基づいて送信する方法を実行するこのモードは、このため、通信ネットワークを構成するエンティティのそれぞれが本発明を実行する上で制約を必要としない利点を提供する。
【００４２】
別の態様によれば、本発明は、複数のエンティティを含む無線通信ネットワークに接続可能なエンティティ（Ｅ１）にも関係し、前記通信ネットワークは、物理層（ＰＨＹ）を含む複数の通信層として編成される。
【００４３】
本発明によれば、そのようなエンティティは、前記物理層（ＰＨＹ）とのインターフェースにおいて、
−データフレーム（ＰＰＤＵ）のヘッダ（ＨＥＡ）を受信する手段と、
−前記フレームの少なくとも１つの宛名エンティティを表す情報（ＩＥＤ）の少なくとも一部を与える前記ヘッダ（ＨＥＡ）を復号する手段と、
−前記宛名エンティティを表示する情報の部分が前記受信エンティティ（Ｅ１）以外のエンティティを表す場合、前記ヘッダ（ＨＥＡ）の前記受信エンティティ（Ｅ１）を動作停止する手段と、
を具備する。
【００４４】
従って、本発明を実行するエンティティは、表示情報の一部が復号されると直ぐに、フレームがそれにアドレス指定されるかどうか、また物理的キャリア（信号及び周波数）がそれにアドレス指定されないフレームによって占有される時間の中で動作停止になるかどうかを判断することができる。そのような発明は、例えば、ＭＡＣ層によって制御される省エネルギーモードの「パワーセーブ」タイプをさらに実行するエンティティにより使用されることにさらに適している。
【００４５】
別の態様によれば、本発明は、複数のエンティティを含む無線通信ネットワークに接続可能なエンティティ（Ｅ１）にも関係する。前記通信ネットワークは、物理層（ＰＨＹ）を含む複数の通信層として編成される。
【００４６】
本発明によれば、前記エンティティは、前記物理層（ＰＨＹ）とのインターフェースにおいて、
−前記フレームの少なくとも１つの宛名エンティティを表す情報（ＩＥＤ）の一部を形成する手段と、
−修正されたフレームを提供するように、前記表示情報（ＩＥＤ）の一部を前記データフレーム（ＰＰＤＵ）の前記ヘッダ（ＨＥＡ）の中に挿入する手段と、
−前記修正されたデータフレームを前記通信ネットワーク上にディジタル信号の形式で送信する手段と、
を具備する。
【００４７】
このエンティティは、通信ネットワークを構成するエンティティに応じて、使用される挿入手段を規定するために使用されるコンフィギュレーション手段をさらに備えることができる。こうしたコンフィギュレーション手段は、例えば、通信ネットワークの管理者によって実行されることができる。
【００４８】
別の態様によれば、本発明は、無線通信ネットワークの物理層（ＰＨＹ）上で送信される、ヘッダ（ＨＥＡ）を有するデータフレーム（ＰＰＤＵ）を表す信号にも関係する。
【００４９】
本発明によれば、そのような信号は、前記ヘッダ（ＨＥＡ）に中で、前記物理層の信号を処理するコンポーネントにアドレス指定された、前記フレームの少なくとも１つの宛名エンティティを表す情報（ＩＥＤ）の一部を含む。
【００５０】
別の態様では、本発明は、プログラムがプロセッサによって実行されるとき、本願で記載されるように、動作停止する方法を実行するプログラムコード命令を含むことを特徴とするコンピュータプログラムにも関係する。
【００５１】
別の態様によれば、本発明は、最終的に、プログラムがプロセッサによって実行されるとき、本願で記載されるように、送信する方法を実行するプログラムコード命令を含むことを特徴とするコンピュータプログラムに関係する。
【００５２】
本発明の他の特徴及び利点は、簡単な例示的で非限定的な例として与えられる好ましい実施形態の以下の説明から、及び添付の図面からさらに明らかになる。
【図面の簡単な説明】
【００５３】
【図１】本発明の１つの特定の実施形態による動作停止する方法のステップを示す図である。
【図２】本発明に基づいて動作停止するための方法を実行するように適合されたエンティティを示す図である。
【図３】本発明に基づいて送信するための方法を実行するように適合されたエンティティを示す図である。
【発明を実施するための形態】
【００５４】
一般原則
本発明は、物理層を含む複数の通信層に編成された無線通信ネットワークのエンティティの少なくとも１つのコンポーネントを動作停止する方法に関する。このネットワークは、例えば、アクセスポイント又は通信端末などの幾つかのエンティティを備えている。
【００５５】
従来技術の無線通信システムでは、物理層は全ての送信を、それがユニキャスト、マルチキャスト又はブロードキャストであろうと、またフレームの宛名が何であろうと同様に扱う。
【００５６】
これに対して、本発明は、フレームが受信エンティティに関係するか否かに基づいて、物理層で受信されるフレームに対して異なる処理を行うように提案する。
【００５７】
以下でさらに説明されるように、本発明による方法は、前記物理層のレベルにおいて、
−受信の間に物理的信号から抽出されたデータフレームのヘッダを受信するステップと、
−フレームの宛名エンティティを表す情報（ＩＥＤ）の少なくとも一部、又はマルチキャスト送信の場合は宛名エンティティのセットを得るために、全フレームが受信されるのを待つことなく、このフレームを復号するステップと、
−受信エンティティが受信されるフレームの宛名でない場合、すなわち、前記受信エンティティを表す情報（ＩＥＤ）が前記受信エンティティ以外のエンティティを表す場合、ヘッダを受信する受信エンティティのコンポーネントの少なくとも１つを動作停止するステップと、
を含む。
【００５８】
このため、本発明の方法は、ヘッダの中で、物理層のフレーム、送信の種類（ユニキャスト、ブロードキャスト又はマルチキャスト）及びフレームの宛名エンティティを表す情報（ＩＥＤ）の一部を符号化できるようにする。この方法では、受信エンティティ、特に端末又はＢＳＳのアクセスポイントは、物理層のフレームのヘッダを復号すれば、データ部分を受信すること及び物理層よりも高い層（特に、ＭＡＣ層又はＩＰ層）による復号が終了するのを待たずに、このフレームがそのために意図されているか否かが分かる。その結果として、ここで、受信エンティティを動作停止にすることは可能である、すなわち、例えば、このヘッダに続く非ペイロードのデータユニットの送信の間に、例えば、全てのデータ受信チェーンのコンポーネント又は複数のコンポーネントに対する給電を切断することができる。動作停止は、エンティティの全てのコンポーネントに対する電源を全体的に切断する動作を含むこともできる。
【００５９】
このため、本発明は、従来技術の欠点を克服できるようにする、特に、無線通信装置が受け取った物理層のフレームの全てのデータ要素を、意図されていない場合は、復号しないことを可能にし、これにより、本発明は従来技術の解決策と比較して、かなりのエネルギー節約を達成する。
【００６０】
実際に、従来技術の解決手法の主な欠点の１つは、宛名装置の識別がＭＡＣ層によって行われ、このため、宛名端末の識別を可能にする第１のデータ部分が受け取られたときのみ、さらに具体的には、全ＭＡＣレベルのデータ構造が受け取られた後で行われて、受信されたデータ部分が受信エンティティに関係ない場合は、これが大きなエネルギー損失になることである。
【００６１】
さらに、少なくとも１つの実施形態の中で、本発明によって提供される解決手法は、本発明を実行しない装置には影響しないという利点を提供するため、これにより、本発明を実行する装置と他の装置、例えば、８０２．１１ｘ規格の１つに単純に準拠した無線装置との間の相互運用性を可能にする。
【００６２】
物理層における宛名の識別
１つの特定の実施形態では、本発明は物理層内の各フレームのヘッダ、例えば、物理層のＰＬＣＰ（物理層コンバージェンスプロシージャ（Physical Layer Convergence Procedure））サブレイヤーのヘッダに情報の一部を加えることを提案する。
【００６３】
従来技術のネットワーク通信システム、より詳細には、８０２．１１規格の構成では、このＰＬＣＰサブレイヤーは、使用される物理技術の同期、チャネル評価及びパラメータ化の機能のみを有している。
【００６４】
１つの特定の実施形態によれば、本発明はＰＬＣＰ層を新規に実装することを提案しており、その機能は、送信のタイプ（ユニキャスト又はブロードキャスト／マルチキャスト）の識別及び宛名エンティティの識別を含むように機能強化される。
【００６５】
フレームの宛名エンティティを表す情報部分（ＩＥＤ）の符号化
本発明によれば、ＩＥＤはＭＡＣ層の２つのパラメータ、すなわち、宛名エンティティのＡＩＤ（アソシエーション識別子）及びＢＳＳＩＤ（基本サービスセット識別子）、を特に考慮することができ、これにより、それぞれのエンティティ（すなわち、端末）及びその一部のＢＳＳを識別することができる。
【００６６】
本発明の幾つかの特定の実施形態によれば、宛名、すなわち、ＩＥＤの識別は、２バイトで符号化されることができる。
【００６７】
この符号化の一意性を保証するために、これらの実施形態はハッシュ関数を使用することができる。
【００６８】
例えば、ＩＥＤを２バイトで符号化することは、ＭＡＣ層のＡＩＤ（２バイト）及びＢＳＳＩＤ（６バイト）パラメータ上のハッシュ関数の結果とすることができ、固定値（例えば、「ＦＦ  ＦＦ」）が、ブロードキャスト又はマルチキャスト送信のため又はＡＩＤ及びＢＳＳＩＤパラメータがまだ分からない場合は予約される。
【００６９】
ＡＩＤパラメータは、エンティティがＭＡＣ層のレベルで識別されることを可能にする。こうしたＡＩＤパラメータは、標準的なＭＡＣアドレスと比較すると、多数の利点を有している。
【００７０】
ＡＩＤパラメータの大きさは、標準的なＭＡＣアドレスの６バイトではなく２バイトであるため、ビット数が制限されているＰＬＣＰヘッダ内へそれを挿入することを容易にしている。ＩＥＤの大きさが２バイトの場合は、全ＡＩＤパラメータは、ＰＬＣＰヘッダ内に導入することができ、一方、標準的なＭＡＣアドレスを導入するには、このヘッダの大きさを６バイトから２バイトに縮小する必要があり、これは、部分的ＭＡＣアドレスに該当する。このＭＡＣアドレスの縮小により、固有なエンティティの識別が得られないというリスクが生じる。実際に、同じ部分的なＭＡＣアドレスは種々のエンティティを識別することができ、これは結果として、ＩＥＤが部分的なＭＡＣアドレスによって構築されている場合は、待機状態に置かれていないこのスタンバイに関係しているエンティティを生じることができる。
【００７１】
ＡＩＤパラメータは、それがエンティティの認証手順の間に接続されているアクセスポイントによってそのエンティティに割り当てられる。これにより、同じアクセスポイントに接続される２つの別個のエンティティに割り当てられた同じＡＩＤパラメータを有するリスクが限定される。
【００７２】
ＢＳＳＩＤも、２つの別個のＢＳＳに属する２つのエンティティが同じＡＩＤパラメータを有することができ、これにより、エンティティ間が混乱するリスクを招くという理由で興味深い。これは、２つのＢＳＳが共にローカライズされて、同じスペクトルリソースを使用する場合（これはＢＳＳが重なっている場合である）は特にそうである。ＩＥＤの一意性を維持するために、ＩＥＤは、その完全な形態又は部分的な形態の中でパラメータＡＩＤ及びパラメータＢＳＳＩＤによって作られる。
【００７３】
このように、本発明のこのような実施態様では、宛名エンティティの固有の識別子及び、例えば、「ブロードキャスト」タイプのマルチキャスト送信を示す識別子をＰＬＣＰ層で規定する利点が提供される。
【００７４】
物理層内のフレームに対する宛名エンティティ（ＩＥＤ）を表す情報の一部の挿入
本発明の幾つかの実施形態には、物理層のヘッダ内に、ＩＥＤ専用に設けられた新しいフィールドを規定することが含まれる。
【００７５】
例えば、新しい２バイトフィールドをＳＩＧＮＡＬフィールド（例えば、「ＶＨＴ_ＳＩＧ」フィールド）に挿入することができる。
【００７６】
本発明の別の実施形態では、ＩＥＤの符号化動作は、例えば、ＰＬＣＰヘッダのショートトレーニングフィールド（Ｌ−ＳＴＦ、ＨＴ−ＳＴＦ又はＶＨＴ−ＳＴＦ）などの、従来技術では他の目的に使用される、物理層上で送信される現行のフィールド内に配置されることができる。
【００７７】
しかしながら、この実施形態は、例えば、Ｌ−ＳＴＦ又はＨＴ−ＳＴＦなどの現行フィールドのコンテンツを修正する必要がある。その結果、本発明に基づいて符号化されたフレームは、それらが更新される場合、受信エンティティによって習慣的な方法で復号されることができる。従って、この実施形態は、本発明に基づいて修正されるフレームを受信する全てのエンティティは更新されて、本発明を実行できるようにされることを意味する。
【００７８】
本発明の別の実施形態では、現行フィールドの符号化は、フィールド内に既に含まれた当初の情報（又は「従来の」情報）に応じて宛名の識別子を送信するように修正されることができる。これは、例えば、ＰＬＣＰヘッダの直交符号化によって行われることができる。
【００７９】
このため、例えば、ＳＩＧＮＡＬフィールドといった既存のフィールドは、適用限界に存在しないエンティティに対して、ＢＰＳＫ（バイナリ位相シフトキーイング（Binary Phase Shift Keying））符号化からＱＰＳＫ（直交位相シフトキーイング（Quadrature Phase Shift Keying））符号化へ移行する場合に使用されることができる。
【００８０】
ＱＰＳＫ変調は、わずか１つの軸上で符号化するのではなく、Ｉ軸及びＱ軸上で情報を符号化することができるため、ＢＰＳＫ変調の２倍の情報を送信できるようにする。しかしながら、この技術は電力の損失を誘発し、その損失が比較的低い状態のままであっても、それは受信の品質をわずかに低下させる。従って、これらの実施形態は、適用限界に位置していないエンティティ（端末又はアクセスポイント）に向ける送信により多く適用される。
【００８１】
例えば、ＨＴ−ＳＩＧフィールドの情報の標準的で規格化された部分はＱ軸で符号化され、本発明による宛名エンティティの識別に対応するものはＩ軸上で符号化される、又はＬ−ＳＩＧフィールドの情報の標準的で規格化された部分がＩ軸上で符号化され、宛名エンティティの識別に対応するものがＱ軸で符号化される。
【００８２】
これらの実施形態は、本発明を実行しない受信エンティティによって、どのような修正もこのエンティティ上で行われるべきであることを要求せずに、本発明を実行しない受信エンティティによって、本発明によるフレームを復号可能にする利点を提供する。実際に、識別しきい値は、同じ状態のままである。従来技術に準拠しかつ本発明を実行しないエンティティは、宛名の身元を示すフィールドが存在することによって妨害されることなく以前に行ったように、変化を検出せずに当初の（又は従来の）データを復号することができる。
【００８３】
従って、識別情報がヘッダの現在のフィールド（Ｌ−ＳＴＦ又はＬ−ＳＩＧ）上で符号化される本発明の実施形態は、本発明を実行する送信者エンティティと従来技術の受信エンティティとの間の共存を環境の中に含む全ての送信に適応される。
【００８４】
新しいフィールド（ＨＴ又はＶＨＴ）内の識別に関する情報の直交符号化を提供する別の実施形態は、本発明を実行するＨＴ又はＶＨＴ受信エンティティへの送信に適応される。
【００８５】
このため、幾つかの実施形態によれば、本発明は、専用フィールドを介して又は現行のフィールド（例えば、ＨＴ_ＳＴＦ又はＨＴ_ＳＩＧ）を介してエンティティごとに「擬似ユニーク」な識別子を符号化する動作を含む、データに対する新しいＰＬＣＰフレームフォーマットを画定する動作を含む。
【００８６】
本発明による動作停止方法に関する実施形態の説明
図１は、物理層がデータフレームを受信する間に通信ネットワークのエンティティの中で実行される、本発明による動作停止する方法のステップを示す。
【００８７】
本発明によれば、新しいＰＰＤＵデータフレームの到着時１０において、本方法は、データフレームのヘッダＨＥＡを受信するためのステップ１１を含む。図１に示された特定の実施形態では、これは、受信時のフレームのＰＣＬＰサブレイヤーのヘッダである。
【００８８】
ヘッダを受信するこのステップ１１の後に、このヘッダを復号するステップ１２が続き、その間に、宛名エンティティを表す情報ＩＥＤの一部を抽出する試みがなされる。
【００８９】
抽出の試みが成功した場合１３、すなわち、受信したフレームが本発明を実行し、その宛名のＩＥＤを含む場合、本方法は受信したＩＥＤを受信通信エンティティに関連したＩＥＤと比較するためのステップ１４を備える。
【００９０】
実際に、受信エンティティが本発明を実行し、送信された信号がまた本発明に基づいて修正された場合、それはＰＬＣＰヘッダの受信終了時にそれに対して使用可能な宛名のＩＥＤ識別子を有することになる。この識別子をそれ自身のＩＥＤ識別子と比較することによって、それは進行中の送信がそれ自身のためであるか、又はそれには関係ないかどうかを知ることができる。
【００９１】
従って、本発明の省エネルギーメカニズムは、ＰＬＣＰヘッダの受信が終了すると直ぐにそれが起動されることができるという利点を提供する。
【００９２】
受信エンティティが受信したフレームの宛名でないためにＩＥＤが異なる場合、本方法は、ＨＥＡヘッダ内で利用可能な長さやビットレートなどのパラメータに基づいて、ＰＰＤＵデータフレームを受信する継続時間Ｔを計算するステップ１５を含む。
【００９３】
最後に、この計算するステップ１５に続いて、求められた期間Ｔの間に通信エンティティを動作停止するステップ１６がある。１つの特定の実施形態では、定義済みのしきい値（例えば、２０バイト）を下回るフレーム長の基準を用いて、通信エンティティが動作停止しない可能性がある。この中間モードは、例えば、ＲＴＳ（送信要求（Request To Send））又はＣＴＳ（送信可（Clear To Send））タイプのフレームなどの極めて短い制御フレームに従うこと、及び移行期間の間に発生する電流ピークに関連した過渡のエネルギー消費を防ぐこと可能にする。これらの制御フレームは、特に、ＭＡＣ層においてＮＡＶ（ネットワーク割当てベクトル（Network Allocation Vector））を更新するために有用であり、またほぼ１４バイトである。従って、この本発明の具体的な実施形態では、動作停止する方法には、フレーム長の関数として、動作停止の関連性を決定するステップが含まれる。
【００９４】
ＩＥＤが同一の場合、又は受信したＩＥＤがマルチキャスト送信モードに該当する場合、又は受信時のフレームがその宛名を識別可能にするＩＥＤを含まない場合、本方法は、ＰＰＤＵデータの残りを受信する最後のステップ１７を提供する。
【００９５】
動作停止時間の決定
本発明によれば、２つのＩＥＤが異なる場合、本方法は、進行中の送信には確実に関係していない、動作停止の継続時間を計算するステップを含む。
【００９６】
本発明による方法の１つの特定の実施形態では、受信エンティティは、この目的のために、物理層が受信するデータフレームのビットレート及び大きさに関する情報を使用して、それから現行の送信の継続時間Ｔを計算する。例えば、本発明の１つの特定の実施形態では、受信エンティティは、使用する物理層の規格の中に記載された方式に基礎を置いている。このため、この規格が８０２．１１ａ規格を使用する場合、受信エンティティは、この規格のパラグラフ１７．４．３「ＯＦＤＭ ＴＸ時間計算（OFDM TXTIME calculation）」に準拠した送信期間を計算することができる。
【００９７】
例えば、本発明の１つの特定の実施形態では、受信エンティティは、例えば、ＰＬＣＰヘッダのＰＳＦ及びＰＬＷなどの、物理層が受信したフレームのヘッダ内にも含まれている情報を使用することができる。ＰＳＦ（PLCP_SIGNALING FIELD）は、Ｍｂｉｔ／ｓでビットレートを表し、ＰＬＷ（PSDU LENGTH WORD）フィールドは、受信されたフレームのバイト数を表す。
【００９８】
この計算は、ＰＬＣＰヘッダの受信の終了時に受信エンティティによって体系的に行われる。
【００９９】
進行中の送信がもはやそれに関係していない場合は、受信エンティティは、来るべき送信の継続時間Ｔに対して動作停止する決定を行う。
【０１００】
従って、物理層内のデータフレームの受信時間がほぼ３００μｓから１ミリセカンド程度であり、ヘッダの初めからフレームの宛名の識別子を含むフィールドまでの、物理層のヘッダの第１の部分の受信時間が、ほぼ３０から４０マイクロセカンド（すなわち、従って、フレームの受信時間のほぼ１００分の１の程度）の程度であると推定される場合、本発明による物理層内の省エネルギーモードの定義は、ＭＡＣ層において習慣的に定義された「パワーセーブ」モードよりも効率的であることが理解され得る。このため、従来技術の解決手法と比較して、本発明は、他のユーザによるチャネルの占有を検出するための時間でかなりのゲインを得ることができるため、結果として、極めて大きな省エネルギー化を可能にする。
【０１０１】
データ受信モードにおけるＷＩＦＩコンポーネントの消費電流はほぼ４００ｍＡ程度であり、一方、スタンバイモードでは、それは単に４０ｍＡ程度である。電源を３．３Ｖとすると、パワーセービングを計算できる。これにより、消費電力は、受信エンティティが物理層を介して受信したデータフレームに対して１０分の１に減少する。例えば、大きなデータストリームの場合、多数のエンティティ又は大きなデータフローために、無線環境が実質的な送信によって占有される程度が大きければ、それだけ節約が大きくなる。従って、他の利点として、本発明は、他のＢＳＳに関連した送信に対してエネルギーを消費しないことを可能にする。コンポーネントに対する電源が切断される本発明の特定の実施形態では、無線周波数の送信／受信用コンポーネントには全く給電されないため、省エネルギーはさらに大きくなる。その結果、それは電流を少しも消費しない。
【０１０２】
本発明の別の特定の実施形態では、動作停止時間は、フレーム送信（transmission de la frame）の継続時間Ｔ及びこのフレームを承認するために要した時間の両方を考慮する。この実施形態は、次のＡＣＫフレームが終了するまで、動作停止を延長する。
【０１０３】
動作停止の効果
本願で説明される本発明の特定の実施形態では、受信エンティティを動作停止するステップ１６は、物理層で全部実行される。
【０１０４】
実際に、動作停止を引き起こす情報要素の部分は、物理層のヘッダに含まれる情報である。ＭＡＣ層は、受信エンティティに向けられていないフレームを送信する期間に相当する期間に対して、チャネルがビジーであると通知されるだけである。
【０１０５】
さらに、受信エンティティが動作停止する効果は、本発明の実行に基づいて変動する可能性がある。特に、それは受信エンティティ、例えば、その製造者に依存することがあるが、受信エンティティの機能又は能力にも依存することがある。
【０１０６】
例えば、動作停止は、無線周波数コンポーネントへの供給カット及び／又は物理層の受信及び送信チェーンに対する供給カットに対応することができる。この場合、動作停止は、受信エンティティのコンポーネントに対して電源を切ることに対応する。
【０１０７】
動作停止は、受信エンティティの他のコンポーネントに対する電源カットにも対応することができ、これは無線通信の信号を受信するコンポーネントに多少ともリンクされる。
【０１０８】
最後に、動作停止は、エンティティが、例えばスタンバイ状態にある場合、このエンティティの全てのコンポーネントを動作停止させることができる。
【０１０９】
本発明による動作停止は、例えば、非活動状態の端末の場合に有用である。端末が非活動状態（すなわち、使用されていない）のときでさえ、それでも端末の幾つかのコンポーネントが動作を継続することが知られている。これらのコンポーネントは、特に、無線信号の送信信号／受信信号を含んでいる。このため、それらはスタンバイ状態にあるが、前述された種類の端子は、全く同じエネルギーを消費する。本発明による動作停止は、さらにエネルギーを節約することを可能にし、これにより、端末の使用を拡張できるようにする。
【０１１０】
従って、ＭＡＣが、本発明によれば、動作停止の決定に関与していない、またそれが従来技術の「パワーセーブ」技術の中で行ったような、動作停止の決定を制御しないため、本発明をかなりの程度、従来の技術から区別することができる。さらに、本発明の目的は異なっている、すなわち、考え方は、スタンバイ及びアクティビティのプログラムされたフェースを設定することではなく、チャネルが他のユーザによって占有されるとき、アクティビティのフェーズの間に動作停止になることである。この意味では、本発明に基づいてスタンバイになる技術は一般的なものであり、それは全ての送信の間に、またこれにより、従来技術による「パワーセーブ」モード内のエンティティのウェークアップフェーズの間にも、アクセスポイントやエンティティによって使用することができる。
【０１１１】
本発明の動作停止する方法を実行するように適合された通信エンティティの構造
図２を参照すると、複数のエンティティから構成されている無線通信ネットワークに接続可能なエンティティの簡略化された構成が示されている。この通信ネットワークは、本願で前述された実施形態によれば、物理層を含む複数の通信層として構成されている。
【０１１２】
この種のエンティティは、バッファメモリを含むメモリ２１と、例えばマイクロプロセッサμＰを備えて、本発明に基づいて動作停止する方法を実行するコンピュータプログラム２３によって駆動される処理装置２２とを具備する。
【０１１３】
初期化時に、コンピュータプログラム２３のコード命令は、例えばＲＡＭにロードされ、次に処理装置２２のプロセッサによって実行される。
【０１１４】
処理装置２２は、入力部でデータフレームのヘッダを受信する。
【０１１５】
処理装置２２のマイクロプロセッサは、コンピュータプログラム２３の命令に基づいて、本願で前述された送信する方法のステップを実行する。このために、エンティティは、バッファメモリ３１に加えて、物理層のインターフェースにおいて、
−データフレームのヘッダを受信する手段と、
−前記フレームの少なくとも１つの宛名エンティティを表す情報の少なくとも一部を与えるヘッダを復号する手段と、
−宛名エンティティを表す情報の一部が受信エンティティ以外のエンティティを指定する場合、ヘッダの受信エンティティを動作停止する手段と、
を備えている。
【０１１６】
これらの手段は、処理装置２２のマイクロプロセッサによって駆動される。
【０１１７】
本発明の送信する方法を実行するように適合された通信エンティティの構造
最後に、図３を参照すると、複数のエンティティから構成されている無線通信ネットワークに接続可能なエンティティの簡略化された構成が示されている。前記通信ネットワークは、本願で記載された実施形態によれば、物理層を含む複数の通信層として構成されている。
【０１１８】
この種のエンティティは、バッファメモリを含むメモリ３１と、例えばマイクロプロセッサμＰを備えて、本発明に基づいて受信及び／又は送信する方法を実行するコンピュータプログラム３３によって駆動される処理装置３２とを具備する。
【０１１９】
初期化時に、コンピュータプログラム３３のコード命令は、例えばＲＡＭにロードされ、次に処理装置３２のプロセッサによって実行される。
【０１２０】
本発明によれば、処理装置３２のマイクロプロセッサは、コンピュータプログラム３３の命令に基づいて、本願で前述された復号する方法のステップを実行する。このために、エンティティは、バッファメモリ３１に加えて、物理層のインターフェースにおいて、
−フレームの少なくとも１つの宛名エンティティを表す情報の一部を形成する手段と、
−修正されたフレームを提供するように、表示情報の一部を前記データフレームの前記ヘッダの中に挿入する手段と、
−修正されたデータフレームを通信ネットワーク上にディジタル信号の形式で送信する手段と、
を具備する。
【０１２１】
これらの手段は、処理装置のマイクロプロセッサによって駆動される。
【図１】
2013511182.tif 000002
【図２】
2013511182.tif 000003
【図３】
2013511182.tif 000004
【手続補正書】
【提出日】平成24年7月18日(2012.7.18)
【手続補正１】
【補正対象書類名】特許請求の範囲
【補正対象項目名】全文
【補正方法】変更
【補正の内容】
【特許請求の範囲】
【請求項１】
複数のエンティティを含む無線通信ネットワークのエンティティ（Ｅ１）の少なくとも１つのコンポーネントを動作停止させる方法であって、前記通信ネットワークは、物理層（ＰＨＹ）を含む複数の通信層に分かれており、
前記方法が、前記物理層（ＰＨＹ）において、
受信される物理的信号から抽出されたデータフレーム（ＰＰＤＵ）のヘッダ（ＨＥＡ）を受信するステップと、
前記フレームに対する少なくとも１つの宛名エンティティを表す情報（ＩＥＤ）の少なくとも一部を供給する前記ヘッダ（ＨＥＡ）を復号するステップと、
前記宛名エンティティを表す情報の一部が、前記受信エンティティ（Ｅ１）以外のエンティティを示すとき、前記ヘッダ（ＨＥＡ）の前記受信エンティティ（Ｅ１）の少なくとも１つのコンポーネントを動作停止するステップと、
を含む、ことを特徴とする方法。
【請求項２】
前記方法が、伝送速度（ＲＡＴＥ）を表す情報の少なくとも一部及び物理層の前記データフレーム（ＰＰＤＵ）のデータ容量（ＬＥＮＧＴＨ）を表す情報の少なくとも一部の関数として、動作停止の継続時間を計算するステップをさらに含む、ことを特徴とする請求項１に記載の方法。
【請求項３】
前記動作停止するステップが、前記エンティティの少なくとも１つの無線周波数のコンポーネントに対する電力供給を切断するステップを含む、ことを特徴とする請求項１に記載の方法。
【請求項４】
前記動作停止するステップは、物理層のデータ受信及び／又は送信チェーンに対する、電源を切断するステップを含む、ことを特徴とする請求項１に記載の方法。
【請求項５】
複数のエンティティ有する無線通信ネットワークの送信者エンティティにより、ヘッダ（ＨＥＡ）を含むデータフレーム（ＰＰＤＵ）を送信する方法であって、前記通信ネットワークは、前記データフレームを構築するステップを有する物理層（ＰＨＹ）を含む複数の通信層に分かれており、
前記方法が、前記物理層（ＰＨＹ）において、
−理的サポートに対するアクセスを制御する層の少なくとも１つのパラメータ（ＡＩＤ）から、前記フレームに対する少なくとも１つの宛名エンティティを表す情報（ＩＥＤ）の一部を構築するステップと、
修正されたフレームを供給する、前記データフレーム（ＰＰＤＵ）の前記ヘッダ（ＨＥＡ）内に、前記表示情報の一部（ＩＥＤ）を挿入するステップと、
前記修正されたデータフレームを前記通信ネットワーク上に、ディジタル信号の形式で送信するステップと、
を含む、ことを特徴とする方法。
【請求項６】
前記フレームの少なくとも１つの宛名エンティティを表す前記情報（ＩＥＤ）の一部が、前記ヘッダの信号フィールドに挿入される、ことを特徴とする請求項５に記載の方法。
【請求項７】
前記挿入するステップが、前記データフレーム（ＰＰＤＵ）の前記ヘッダ（ＨＥＡ）のフィールドの１つを有する前記表示情報（ＩＥＤ）の一部の直交符号化によって行われる、ことを特徴とする請求項５に記載の方法。
【請求項８】
複数のエンティティを含む無線通信ネットワークに接続可能なエンティティ（Ｅ１）であって、前記通信ネットワークは、物理層（ＰＨＹ）を含む複数の通信層として編成され、
前記エンティティが、前記物理層（ＰＨＹ）とのインターフェースにおいて、
データフレーム（ＰＰＤＵ）のヘッダ（ＨＥＡ）を受信する手段と、
前記フレームの少なくとも１つの宛名エンティティを表示する情報（ＩＥＤ）の少なくとも一部を与える前記ヘッダ（ＨＥＡ）を復号する手段と、
前記宛名エンティティを表す情報の前記部分が前記受信エンティティ（Ｅ１）以外のエンティティを示す場合、前記ヘッダ（ＨＥＡ）の前記受信エンティティ（Ｅ１）を動作停止する手段と、
を具備する、ことを特徴とするエンティティ。
【請求項９】
複数のエンティティを含む無線通信ネットワークに接続可能なエンティティであって、前記通信ネットワークは、物理層（ＰＨＹ）を含む複数の通信層として編成され、
前記エンティティが、前記物理層（ＰＨＹ）とのインターフェースにおいて、
前記フレームの少なくとも１つの宛名エンティティを表示する情報（ＩＥＤ）の一部を構築する手段と、
修正されたフレームを提供するように、前記表示情報（ＩＥＤ）の一部を前記データフレーム（ＰＰＤＵ）の前記ヘッダ（ＨＥＡ）の中に挿入する手段と、
前記修正されたデータフレームを前記通信ネットワーク上にディジタル信号の形式で送信する手段と、
を具備する、ことを特徴とするエンティティ。
【請求項１０】
無線通信ネットワークの物理層（ＰＨＹ）上で送信される、ヘッダ（ＨＥＡ）を有するデータフレーム（ＰＰＤＵ）を表す信号であって、
前記信号が、前記ヘッダ（ＨＥＡ）に中で、前記物理層の信号を処理するコンポーネントにアドレス指定された、前記フレームの少なくとも１つの宛名エンティティを表す情報（ＩＥＤ）の一部を含む、ことを特徴とする信号。
【請求項１１】
コンピュータプログラムがプロセッサによって実行されるとき、請求項１〜４のいずれか１項に記載の、動作停止する方法を実行するプログラムコード命令を含むことを特徴とするコンピュータプログラム。
【請求項１２】
コンピュータプログラムがプロセッサによって実行されるとき、請求項５〜７のいずれか１項に記載の、送信する方法を実行するプログラムコード命令を含むことを特徴とするコンピュータプログラム。
【国際調査報告】
2013511182.tif 000005
2013511182.tif 000006
2013511182.tif 000007
2013511182.tif 000008
2013511182.tif 000009
2013511182.tif 000010